(57)【要約】      （修正有）【課題】傾けると画像が投影される表示装置を提供する。【解決手段】光を透過する不透明な外殻体と透明もしくは光を透過する中殻体と外郭体に投影するための画像１４を持つ内殻体５とを有する中空上の筐体と、発光装置と傾きを検知するスイッチと前記発光体の発光制御を行う制御回路とを有する筐体内部構成と、前記筐体の傾け動作によって発光手段の発光および消灯の切り換えを行い、発光手段の発光によって内殻体に放射された発光１６により外殻体に投影されるように構成した表示装置。【選択図】図３
2009168837.tif 000002
【特許請求の範囲】
【請求項１】
光を透過する不透明な外殻体と透明もしくは光を透過する中殻体と外郭体に投影するための画像を持つ内殻体とを有する中空上の筐体と、発光装置と傾きを検知するスイッチと前記発光体の発光制御を行う制御回路とを有する筐体内部構成と、前記筐体の傾け動作によって発光手段の発光および消灯の切り換えを行い、発光手段の発光によって内殻体に放射された発光により外殻体に投影されるように構成したことを特徴とする表示装置。
【請求項２】
前記筐体は底面を持ち、自立する外形を有する請求項１記載の表示装置。
【請求項３】
前記傾きを検知するスイッチは、錘部材と錘部材の傾きを検知するスイッチを有する請求項１から2まで記載の表示装置。
【請求項４】
前記傾きを検知するスイッチは、導通する錘部材と錘部材の傾きにより接することにより導通する接点スイッチを有する請求項１から3まで記載の表示装置。
【請求項５】
前記筐体は装飾をされたプレゼント箱の外形を有する請求項１から4まで記載の表示装置。
【請求項６】
前記筐体は多面体、円柱、円錐の外形を有する請求項１から5まで記載の表示装置。
【発明の詳細な説明】
【技術分野】
【０００１】
本発明は表示装置に関するものである。特に、身体動作に対応した画像の表示に関するものである。
【背景技術】
【０００２】
従来、表示装置は、表示がない時は機能を持たないのが現状である。
【０００３】
また、実開平7-31553号公報（特許文献１）には、水平、垂直によってＬＥＤを点灯、消灯する踏み切りについて記載がある。
【特許文献１】実開平7-31553号公報
【発明の開示】
【発明が解決しようとする課題】
【０００４】
しかしながら、前述の従来例において、特許文献１の技術ではＬＥＤのＯＮ、ＯＦＦによって点灯、非点灯を切り替えるだけで積極的な意味の提示、例えば、観賞用装置として機能していない。
【０００５】
また、本発明では、表示装置の中に身体性を取り込むということであり、観賞用として静置された表示装置を手に取るという行為により発光しその外殻体に画像を映す装置を提供することを課題とするものである。
【０００６】
また、本発明では、表示装置の本体外観がプレゼント箱の形をしており、静置した状態では、中に何かが入っていることを予感させる形をしており手に取ることを誘起させる。本表示装置を手にし、傾けると外殻体に画像が投影される。このため、スイッチのON、OFFが手に取る行為によって引き起こされる画像の投影を通じて、意外性や思いやり、感謝などの贈答品をおくる気持ちを伝えることを目的とする装置を提供することを課題とするものである。
【課題を解決するための手段】
【０００７】
本発明は、前記課題を解決すため、以下の構成を採用した。
すなわち、本発明の表示装置は、筐体と、発光体と、傾きを検知するスイッチと、前記発光体の発光制御を行う制御回路とを備える。
【０００８】
ここで、筐体は、光を透過する不透明な外殻体、透明もしくは光を透過する中殻体、外郭体に投影するための画像を持つ内殻体を有する。
【０００９】
本発明で外殻体とは、例えば、紙、塗料、フィルムなどである。この中で、紙が本発明の目的を達成する上で最も好ましい。
【００１０】
本発明で中殻体とは、例えば、アクリル樹脂、ガラス、プラスチック樹脂などである。この中で、アクリルが本発明の目的を達成する上で最も好ましい。
【００１１】
本発明で内殻体とは、例えば、透明フィルムに画像を印字したもの、半透明シールに画像を印字したもの、セロハン、液晶素子などである。この中で、半透明シールに画像を印字したものが本発明の目的を達成する上で最も好ましい。
【００１２】
前記内殻体への印字画像は、図案、文字、数字、記号、マーク、罫線、飾り枠、地模様、絵画、写真の形態をなしてもよい。               
【００１３】
本発明で発光体とは、例えば、LED、有機EL、電球、蛍光灯、プラズマなどである。この中で、LEDが本発明の目的を達成する上で最も好ましい。
【００１４】
本発明で傾きを検知するスイッチとは、例えば、銅の錘部材、鉄の錘部材と傾きにより導通する接点スイッチなどである。この中で、銅の錘部材が本発明の目的を達成する上で最も好ましい。
【００１５】
本発明で発光制御を行う制御回路とは、例えば、電池、電池フォルダ、抵抗などを含む。この制御回路により発光体への電流値の制御を行う。
【００１６】
本表示装置は、発光体が発光していない状態でも鑑賞者が手に取りたくなるような興味を引く形状が望ましい。例えば、プレゼント箱、缶、ビン、コップ、携帯電話、玩具、照明器具、本などのように手に持つことが出来るものの外観である。この中でプレゼント箱の外観が本発明の目的を達する上で最も好ましい。
【発明の効果】
【００１７】
本発明に係る表示装置は、以下に述べる効果を有している。すなわち、静置された状態から持ち上げ、見ることなどによる傾きがあると表示装置の傾き検知スイッチにより発光体から光が放射される。その光の放射により内殻体の画像が外殻体に投影することができる。
【００１８】
また、静置時その外殻体が不透明であるために内部の画像を見ることが出来ない。そのため、外殻体の形状と質感により表示をする目的を明示しない形で表示装置の形態を定めることが出来る。
【００１９】
また、本発明では、表示装置の外形がプレゼント箱の形をしており、静置した状態では、中に何かが入っていることを予感させる形をしており手に取ることを誘起させる。本表示装置を手にし、傾けると外殻体に画像が投影される。このため、スイッチのON、OFFが手に取る行為によって引き起こされる画像の投影を通じて、意外性や思いやり、感謝などの贈答品をおくる気持ちを伝えることが出来る。 
【発明を実施するための最良の形態】
【００２０】
プレゼント箱の包装のような外観上を有し、持ち上げるなどの傾きを与えることで、外観上に画像が投影される表示装置を実現した。
【実施例１】
【００２１】
以下、本発明に係る表示装置の一実施の形態について説明する。図１ は、本発明に係る表示装置の外観図を表しており、１ は表示装置本体（ 以下単に「本体」という。） を示している。本体の外観は、プレゼント箱の様相を呈している。
【００２２】
図２ は、本体の分解系図を表している。２は筐体を示しており、本筐体は、３の外郭体と4の中殻体と５の内殻体よりなる３層の構造をしている。７は筐体内部構造を示すものである。
５の内殻体は画像を印刷することによって、７の筐体内部構造に含まれる発光装置よりの光の放射によって外殻体に画像を投影する。4の中殻体は、透明であるアクリル樹脂などによって強度を形成する。外郭体と中殻体は、自由に開閉する仕組みを有する。13の紐によって外殻体を縛ることによって、外殻体と内殻体を安定して固定している。また、この13の紐によって、プレゼント箱としての包装された概観を作っている。
また、6の底面により本体を安定して水平を保っている。               
【００２３】
図3は、2の筐体の投影に関する原理を示したものである。２の筐体は、３の外郭体と4の中殻体と５の内殻体よりなる３層の構造をしている。図3の上図は、発光装置により投影がされていない状態（以下、非投影時）を表す。外郭体に不透明なものを使用している。また、4の中殻体が透明であることと4の中殻体があるために、3の外殻体が直接、5の内殻体に接しない。このため、15の外光により内部が透けて見る事が出来ない。非投影時には、図3の上図（右側）に示すように外殻体である紙の表面の質感がみられることになる。
図3の下図は、内殻体側から発行装置よりの16の光が放射される状態（以下、投影時）を表す。16の光が放射されると、5の内殻体が透明であるものは光がそのまま通過するが、14の画像が印字してある場合は、その画像の光に対する透過率に応じて3の外殻体に14画像の投影像を作る。投影時には、図3の下図（右側）に示すように内殻体の画像による投影像がみられることになる。
このようにして、非投影時にはプレゼント箱の包装のような外観上の質感を見せ、投影時には、光によって透かされた投影像が見える仕組みを提供する。               
【００２４】
図４は、本体の発行装置の発光に関する原理を示したものである。
図４に示す12の制御回路よりなる。12の制御回路は、17の電池、電池ボックスと18の抵抗を有し8の発光装置（LED）に流れる電流を制御している。9の傾きを検知するスイッチは、10の導通する錘部材と11の接点（銅）より構成される。10の導通する錘部材は、上端部を支点として前後左右その他いずれの方向にも振れる振り子体（いわゆる下げ振り式の振り子体）となっており、10の導通する錘部材が一定の傾きになると11の接点（銅）に接地するようになっている。錘部材自身に電気伝導率のよい銅を用いることで、傾きを検知する接点スイッチを構成する。これを模式的に表すと図４の上図のように、傾きがなく、水平な状態である時には、スイッチがOFFの状態になる。また、図４の下図のように、ある一定の傾きを超えるとスイッチが導通している状態になる。10の導通する錘部材の支点から垂直軸方向と接する角までが、スイッチの遊びになる。
【００２５】
図５に本発明の本体正面図を示す。
本表示装置は、2の筐体と7の筐体内部構造を有する。2の筐体は、3の外殻体、4の中殻体、5の内殻体の三層の構造からなる。
7の筐体内部構造は、8の発光装置と9の傾きを検知するスイッチと12の制御回路よりなる。9の傾きを検知するスイッチは、10の導通する錘部材と11の接点（銅）、透明で円筒形の20のアクリル樹脂よりなる。20のアクリル樹脂は、10の導通する錘部材を中央に配置することでスイッチのONとOFFが切り替わる角度を一定にしている。また、20のアクリル樹脂はスイッチとしてだけでなく、8の発光装置と12の制御回路の一部を構造的に支えている。発光装置の光の放射を遮らないように透明な部材を使用している。12の制御回路は、17の電池、電池ボックス18の抵抗19の基板より構成される。
【００２６】
図６の上図に本発明の本体側面図及び中図に２１-２１’の断面図（上面図）、下図に２２-２２’の断面図（上面図）を示す。
図６の上図に示す8の発光装置を10の導通する錘部材と垂直軸上に並べることで、10の導通する錘部材に対する投影像は、6の底面側に投影される。２２-２２’の断面図に示すように17の電池、電池ボックスは6の底面側に設置されている。このため、17の電池、電池ボックスの投影像は6の底面側に投影される。非投影時には、6の底面は水平な面に接している。このため、非投影状態から投影状態になる時に、鑑賞者は6の底面は一番見えにくい場所にあたるため発光装置による投影が妨げられる影響を小さくしている。
【００２７】
図７は本発明の23の鑑賞者による使用状況を示している。図7の上図は、本発明の表示装置が設置されている状態である。平らな面に本表示装置が置かれるとき、傾きがないので発光せず非投影状態となる。そのため、外殻体である紙の表面の質感がみられる。本実施例としては、プレゼントの箱の形をしている。プレゼントの包装は、通常、中に何かが入っていることを予感させ、そのことが、本表示装置を手に取ることを誘起させる。
図７の下図は、23の鑑賞者が手に取った状況を示している。手に取り見る行為より、本装置を傾けられることが多い。このような状況の時、本表示装置は、発光し、画像が投影される。このため、スイッチのON、OFFが手に取る行為によって引き起こされる画像の投影を通じて、意外性や思いやり、感謝などの贈答品をおくる気持ちを伝えることが出来る。
【産業上の利用可能性】
【００２８】
本発明は、玩具、表示装置、家具、照明装置、贈答品に関する。
【図面の簡単な説明】
【００２９】
【図１】本発明に係る表示装置の外観図である。
【図２】本発明に係る表示装置の分解斜視図である。
【図３】本発明に係る表示装置筐体の構造図である。上図はスイッチが入っていない状態で外光のみの場合である。下図はスイッチが入っている状態で発光装置（LED）から光の放射がある場合である。
【図４】本発明に係る表示装置の回路制御方法である。発光手段の発光（下図）および消灯（上図）の切り換えを示している。
【図５】本発明に係る表示装置の正面図である。
【図６】本発明に係る表示装置の側面図及び断面図（上面図）である。
【図７】本発明に係る表示装置と鑑賞者との関係を表す図である。上図は設置状態である。下図は、手にとって傾けた状態である。
【符号の説明】
【００３０】
１   本体外観
２  筐体
３  外殻体（紙）
４  中殻体（アクリル樹脂）
５  内殻体（透明フィルムシート）
６  底面
７  筐体内部構成
８  発光装置（LED）
９  傾きを検知するスイッチ
１０  導通する錘部材
１１  接点（銅）
１２  制御回路
１３  紐
１４  画像
１５  外光
１６  発光装置（LED）よりの光の放射
１７  電池、電池ボックス
１８  抵抗
１９  基板
２０  アクリル樹脂
２１  断面（２１-２１’）
２２  断面（２２-２２’）
２３  鑑賞者
【図１】
2009168837.tif 000003
【図２】
2009168837.tif 000004
【図３】
2009168837.tif 000005
【図４】
2009168837.tif 000006
【図５】
2009168837.tif 000007
【図６】
2009168837.tif 000008
【図７】
2009168837.tif 000009